(57)【要約】【課題】片面モード、両面モードのいずれの場合も重送がされた場合、装置を停止することなく、その重送紙を確実に排出することができ、欠落する頁の発生しない画像形成装置とその制御方法を提供する。【解決手段】感光体上の帯電装置により帯電された部分が、トナー画像を転写紙に転写する転写位置まで回転する時間Ｔ１と、重送検知手段から転写位置まで転写紙を搬送する時間Ｔ２とが、Ｔ１≦Ｔ２となるように重送検知手段を配置する。重送紙は、画像を形成しないで搬送し、機外に排出する。このとき、帯電装置、現像装置、転写装置、分離装置の全ての高電圧をオフにする。両面モードの場合は、重送紙が循環枚数の何枚目かを判断し、先行する転写紙には、両面に画像をコピーして排紙し、重送紙は画像を形成しないで排紙する。【選択図】        図４
2004286778.tif 000002
【特許請求の範囲】
【請求項１】
回転自在な感光体と、該感光体表面に帯電させる帯電装置と、感光体表面に原稿画像を照射して静電潜像を形成する書込装置と、静電潜像をトナー画像として顕像化する現像装置と、転写紙を給紙する給紙装置と、トナー画像を給紙された転写紙に転写する転写装置と、感光体から転写紙を分離させる分離装置と、給紙された転写紙の重送を検知する重送検知手段と、を有する画像形成装置において、
転写紙を給紙装置から排紙位置までの転写紙搬送路上に搬送する搬送制御装置を設け、感光体上の前記帯電装置により帯電された部分が、トナー画像を転写紙に転写する転写位置まで回転する時間Ｔ１と、前記重送検知手段から前記転写位置まで転写紙を搬送する時間Ｔ２とが、Ｔ１≦Ｔ２となるように前記重送検知手段を転写紙搬送路上に配置したことを特徴とする画像形成装置。
【請求項２】
前記重送検知手段で転写紙の重送を検知したとき、前記帯電装置、現像装置、転写装置、分離装置の全ての高電圧をオフにする画像形成部制御装置を設けたことを特徴とする請求項１記載の画像形成装置。
【請求項３】
請求項１又は２記載の画像形成装置の制御方法において、片面モードで印刷中のＸ枚目で前記重送検知手段が重送紙を検知した場合、Ｘ＋１枚目以降の転写紙の供給を一旦待機させ、Ｘ−１枚目以前の転写紙は、設定通りの処理を行い、重送紙は、前記搬送制御装置が転写紙搬送路を駆動して排出し、該重送紙が機外又は後処理装置へ送り出された後、搬送制御装置を正常に戻し、Ｘ＋１枚目として画像形成を再開させることを特徴とする画像形成装置の制御方法。
【請求項４】
画像データを取得する画像読取装置と、該画像読取装置で取得した原稿の画像データを記憶する画像記憶部と、該画像記憶部から所定の順序で画像データを取り出して出力する画像出力制御部と、該画像出力制御部からの画像出力に基づいて転写紙に画像形成を行う画像形成部と、該画像形成部に転写紙を供給する給紙装置と、前記画像形成部により画像形成された転写紙を反転して裏面に画像を形成するために再度画像形成部へと搬送する反転搬送装置とを有する画像形成装置において、
転写紙を給紙装置から排紙位置まで転写紙搬送路に沿って搬送する搬送制御装置と、上記転写紙搬送路に転写紙の重送を検知する重送検知手段と、前記転写紙搬送路と反転搬送路内にある転写紙の数をカウントする循環枚数カウンタとを設けたことを特徴とする画像形成装置。
【請求項５】
前記画像形成部が、回転自在な感光体と、該感光体表面に帯電させる帯電装置と、感光体表面に原稿画像を照射して静電潜像を形成する書込装置と、静電潜像をトナー画像として顕像化する現像装置と、転写紙を給紙する給紙装置と、トナー画像を給紙された転写紙に転写する転写装置と、感光体から転写紙を分離させる分離装置と、を有し、前記感光体上の前記帯電装置により帯電された部分が、トナー画像を転写紙に転写する転写位置まで回転する時間Ｔ１と、前記重送検知手段から前記転写位置まで転写紙を搬送する時間Ｔ２とが、Ｔ１≦Ｔ２となるように前記重送検知手段を転写紙搬送路上に配置したことを特徴とする請求項４記載の画像形成装置。
【請求項６】
前記帯電装置、現像装置、転写装置、分離装置のそれぞれに対する高電圧のオンオフを制御する画像形成部制御装置を設けたことを特徴とする請求項５記載の画像形成装置。
【請求項７】
請求項４から６のいずれかに記載の画像形成装置の制御方法において、前記重送検知手段が重送紙を検知した場合、前記循環枚数カウンタのカウント値が循環枚数Ｎに対して１枚目ならば、前記給紙装置が２枚目以降の転写紙の供給を一旦待機させ、前記搬送制御装置が転写紙搬送路を駆動して重送紙を排出し、重送紙が排出された後に前記給紙装置が次の転写紙の供給を行い新たに１枚目からの画像形成を再開させることを特徴とする画像形成装置の制御方法。
【請求項８】
請求項６記載の画像形成装置の制御方法において、前記重送検知手段が重送紙を検知した場合、前記循環枚数カウンタのカウント値が循環枚数Ｎに対して１枚目ならば、前記給紙装置が２枚目以降の転写紙の供給を一旦待機し、前記搬送制御装置が転写紙搬送路を駆動し、かつ、前記画像形成部制御装置が前記帯電装置、現像装置、転写装置、分離装置のそれぞれに対する高電圧をオフにして重送紙を排出し、重送紙が排出された後に前記給紙装置が次の転写紙の供給を行い新たに１枚目からの画像形成を再開させることを特徴とする画像形成装置の制御方法。
【請求項９】
請求項４から６のいずれかに記載の画像形成装置の制御方法において、前記重送検知手段で重送紙を検知した場合、前記循環枚数カウンタのカウント値が循環枚数Ｎに対してＸ枚目（２≦Ｘ≦Ｎ）ならば、Ｘ＋１枚目以降の転写紙の供給は一旦待機させ、Ｘ−１枚目までの転写紙はそのまま両面モード処理に移行し、該重送紙は排出し、重送紙が排出された後に次の転写紙の供給を再開し、Ｘ＋１枚目を新たなＸ枚目として画像形成を再開させることを特徴とする画像形成装置の制御方法。
【請求項１０】
請求項６記載の画像形成装置の制御方法において、前記重送検知手段が重送紙を検知した場合、前記循環枚数カウンタのカウント値が循環枚数Ｎに対してＸ枚目（２≦Ｘ≦Ｎ）ならば、Ｘ＋１枚目以降の転写紙の供給は一旦待機させ、Ｘ−１枚目までの転写紙はそのまま両面モード処理に移行し、該重送紙は、前記帯電装置、現像装置、転写装置、分離装置の全ての高電圧を印加しない状態で、かつ、搬送制御装置が転写紙搬送路を駆動して排出し、重送紙が排出された後に次の転写紙の供給を再開し、Ｘ＋１枚目を新たなＸ枚目として画像形成を再開させることを特徴とする画像形成装置の制御方法。
【請求項１１】
前記画像形成装置が後処理装置を有し、転写紙搬送路が、該後処理装置に至る第１搬送路と、該後処理装置を経由せずに排出される第２搬送路とを有し、前記重送紙と正規に印刷された紙とは、一方が第１搬送路を通過する場合は他方が第２搬送路を通過させることを特徴とする請求項７から１０のいずれかに記載の画像形成装置の制御方法。
【請求項１２】
前記後処理装置がステープル処理を行う装置であって、設定されたジョブがステープル処理を行わない場合には、前記第２搬送路、前記重送紙を第１搬送路としてを通過させてステープル処理のスタック機構に導き、該スタック機構内の重送紙をジョブの終了後に排紙位置に排出することを特徴とする請求項１１記載の画像形成装置の制御方法。
【発明の詳細な説明】
【０００１】
【発明が属する技術分野】
本発明は、画像形成装置とその制御方法に関し、特に、複数枚の転写紙が重なったままの状態で重送された場合でも装置を停止することなく処理することができる技術に関する。
【０００２】
【従来の技術】
画像形成装置では、転写紙が２枚以上重なった状態で給紙されると、紙詰まり（ジャム）として装置を停止させている。そのため、画像形成装置の稼動効率が低下し、かつ、オペレータのジャム処理作業に対する負担が増加している。
【０００３】
このような問題に対し、特許文献１（特開平７−１４０８５４号）では、重送紙が給紙された場合、画像形成を禁止し、そのまま転写紙を搬送してスタック機構へ排紙する画像形成装置を提案している。このとき、スタック機構が複数ある場合には、空いているスタック機構に重送紙を排出し、オペレータが重送紙を取り除き易くしている。また、次の転写紙が正常に供給された場合には、画像形成を許可することで、頁欠落を防止している。
【０００４】
【特許文献１】
特開平７−１４０８５４号    段落００２３、段落００２６
【０００５】
【発明が解決しようとする課題】
しかし、前記の特許文献１では、画像形成の禁止は、レーザ書込手段による感光体への静電潜像の書込を禁止することによっている。そのため、感光体の周辺に配置された帯電装置、現像装置、転写装置、分離装置などには高電圧が印加されており、それによって、重送紙が吸引されてジャムになり易いという問題があった。
【０００６】
また、両面コピーモードの場合、循環枚数（画像形成装置内で同時に通紙搬送できる最大の転写紙枚数）を１つの単位として両面コピーを行っている。たとえば、循環枚数が３枚の場合を、図１２によって説明する。
【０００７】
まず、読み取り装置で、機内循環枚数の２倍である６面の原稿（６枚の片面原稿、あるいは３枚の両面原稿）を連続して読み取って、その画像データをメモリに蓄積する（図１２（ａ））。同図に示す１，２，３の数字はそれぞれ１枚目、２枚目、３枚目を意味し、「’」が無い数字は表面、「’」がついた数字は裏面を意味している。原稿の最終面の読み取りが完了すると同時に、１枚目の転写紙を給紙してその表面に画像形成をする（図１２（ａ）３  図１２（ｂ）１）。引き続いて２枚目、３枚目の転写紙を給紙してそれぞれの表面に画像形成をする。
【０００８】
表面に画像が形成された転写紙は、反転部を経由して再度裏面の画像を形成するために画像形成部へと給紙され、３枚の転写紙の両面（合計６面）に画像形成を行う。ここでは、機内循環枚数が３であるので、最初に３枚の転写紙を送り込み、その後、これらの両面に画像形成がなされるまで、新たな転写紙の給紙は停止される。また、両面モードの場合は、図１２に示すように、（ａ）に示す原稿画像の読み取り順序と、（ｂ）に示す転写紙へ出力する原稿画像の順序とが相違している。
【０００９】
このような画像形成方法の場合、前記特許文献１に開示された重送処理方法では、頁の欠落や順序の乱れが発生するという問題がある。
【００１０】
本発明は、上記問題の解決を図ったもので、重送がされた場合、装置を停止することなく、その重送紙を確実に排出することができる画像形成装置とその制御方法を提供することを第１の目的としている。また、両面モードの場合に重送紙が供給されても、欠落する頁の発生しない画像形成装置とその制御方法を提供することを第２の目的としている。
【００１１】
【課題を解決するための手段】
上記の第１の目的を達成するために本発明は、回転自在な感光体と、該感光体表面に帯電させる帯電装置と、感光体表面に原稿画像を照射して静電潜像を形成する書込装置と、静電潜像をトナー画像として顕像化する現像装置と、転写紙を給紙する給紙装置と、トナー画像を給紙された転写紙に転写する転写装置と、感光体から転写紙を分離させる分離装置と、給紙された転写紙の重送を検知する重送検知手段と、を有する画像形成装置において、転写紙を給紙装置から排紙位置までの転写紙搬送路上に搬送する搬送制御装置を設け、感光体上の前記帯電装置により帯電された部分が、トナー画像を転写紙に転写する転写位置まで回転する時間Ｔ１と、前記重送検知手段から前記転写位置まで転写紙を搬送する時間Ｔ２とが、Ｔ１≦Ｔ２となるように前記重送検知手段を転写紙搬送路上に配置したことを特徴としている。
【００１２】
前記重送検知手段で転写紙の重送を検知したとき、前記帯電装置、現像装置、転写装置、分離装置の全ての高電圧をオフにする画像形成部制御装置を設けた構成とすることができる。
【００１３】
前記の画像形成装置の制御方法としては、片面モードで印刷中のＸ枚目で前記重送検知手段が重送紙を検知した場合、Ｘ＋１枚目以降の転写紙の供給を一旦待機させ、Ｘ−１枚目以前の転写紙は、設定通りの処理を行い、重送紙は、前記搬送制御装置が転写紙搬送路を駆動して排出し、該重送紙が機外又は後処理装置へ送り出された後、搬送制御装置を正常に戻し、Ｘ＋１枚目として画像形成を再開させることを特徴としている。重送紙にずれがある場合は、転写紙の見かけの長さが長くなっているので、搬送制御装置が転写紙搬送路を駆動して排出する時間を正常時の２倍を上限として正常時より長時間駆動することになる。
【００１４】
前記の第２の目的を達成するために本発明は、画像データを取得する画像読取装置と、該画像読取装置で取得した原稿の画像データを記憶する画像記憶部と、該画像記憶部から所定の順序で画像データを取り出して出力する画像出力制御部と、該画像出力制御部からの画像出力に基づいて転写紙に画像形成を行う画像形成部と、該画像形成部に転写紙を供給する給紙装置と、前記画像形成部により画像形成された転写紙を反転して裏面に画像を形成するために再度画像形成部へと搬送する反転搬送装置とを有する画像形成装置において、転写紙を給紙装置から排紙位置まで転写紙搬送路に沿って搬送する搬送制御装置と、上記転写紙搬送路に転写紙の重送を検知する重送検知手段と、前記転写紙搬送路と反転搬送路内にある転写紙の数をカウントする循環枚数カウンタとを設けたことを特徴としている。
【００１５】
前記画像形成部が、回転自在な感光体と、該感光体表面に帯電させる帯電装置と、感光体表面に原稿画像を照射して静電潜像を形成する書込装置と、静電潜像をトナー画像として顕像化する現像装置と、転写紙を給紙する給紙装置と、トナー画像を給紙された転写紙に転写する転写装置と、感光体から転写紙を分離させる分離装置と、を有し、前記感光体上の前記帯電装置により帯電された部分が、トナー画像を転写紙に転写する転写位置まで回転する時間Ｔ１と、前記重送検知手段から前記転写位置まで転写紙を搬送する時間Ｔ２とが、Ｔ１≦Ｔ２となるように前記重送検知手段を転写紙搬送路上に配置した構成とすることができる。
【００１６】
前記帯電装置、現像装置、転写装置、分離装置のそれぞれに対する高電圧のオンオフを制御する画像形成部制御装置を設けることとしてもよい。
【００１７】
前記の画像形成装置の制御方法としては、前記重送検知手段が重送紙を検知した場合、前記循環枚数カウンタのカウント値が循環枚数Ｎに対して１枚目ならば、前記給紙装置が２枚目以降の転写紙の供給を一旦待機させ、前記搬送制御装置が転写紙搬送路を駆動して重送紙を排出し、重送紙が排出された後に前記給紙装置が次の転写紙の供給を行い新たに１枚目からの画像形成を再開させることを特徴としている。重送紙にずれがある場合は、転写紙の見かけの長さが長くなっているので、搬送制御装置が転写紙搬送路を駆動して排出する時間を正常時の２倍を上限として正常時より長時間駆動することになる。
【００１８】
または、前記重送検知手段が重送紙を検知した場合、前記循環枚数カウンタのカウント値が循環枚数Ｎに対して１枚目ならば、前記給紙装置が２枚目以降の転写紙の供給を一旦待機し、前記搬送制御装置が転写紙搬送路を駆動し、かつ、前記画像形成部制御装置が前記帯電装置、現像装置、転写装置、分離装置のそれぞれに対する高電圧をオフにして重送紙を排出し、重送紙が排出された後に前記給紙装置が次の転写紙の供給を行い新たに１枚目からの画像形成を再開させる構成としてもよい。
【００１９】
または、前記の画像形成装置の制御方法において、前記重送検知手段で重送紙を検知した場合、前記循環枚数カウンタのカウント値が循環枚数Ｎに対してＸ枚目（２≦Ｘ≦Ｎ）ならば、Ｘ＋１枚目以降の転写紙の供給は一旦待機させ、Ｘ−１枚目までの転写紙はそのまま両面モード処理に移行し、該重送紙は排出し、重送紙が排出された後に次の転写紙の供給を再開し、Ｘ＋１枚目を新たなＸ枚目として画像形成を再開させることとすることができる。
【００２０】
又は、前記重送検知手段が重送紙を検知した場合、前記循環枚数カウンタのカウント値が循環枚数Ｎに対してＸ枚目（２≦Ｘ≦Ｎ）ならば、Ｘ＋１枚目以降の転写紙の供給は一旦待機させ、Ｘ−１枚目までの転写紙はそのまま両面モード処理に移行し、該重送紙は、前記帯電装置、現像装置、転写装置、分離装置の全ての高電圧を印加しない状態で、かつ、搬送制御装置が転写紙搬送路を駆動して排出し、重送紙が排出された後に次の転写紙の供給を再開し、Ｘ＋１枚目を新たなＸ枚目として画像形成を再開させることを特徴としている。
【００２１】
前記画像形成装置が後処理装置を有し、転写紙搬送路が、該後処理装置に至る第１搬送路と、該後処理装置を経由せずに排出される第２搬送路とを有し、前記重送紙と正規に印刷された紙とは、一方が第１搬送路を通過する場合は他方が第２搬送路を通過させることとすることができる。
【００２２】
又は、前記後処理装置がステープル処理を行う装置であって、設定されたジョブがステープル処理を行わない場合には、前記第２搬送路、前記重送紙を第１搬送路としてを通過させてステープル処理のスタック機構に導き、該スタック機構内の重送紙をジョブの終了後に排紙位置に排出することとしてもよい。
【００２３】
【作用】
片面モードの場合、転写紙搬送路内に設けられた重送検知手段が、転写紙の重送を検知すると、それ以降の転写紙の供給を停止する。そして、帯電装置、現像装置、転写装置、分離装置の全てに対し、高電圧をオフにする。これによって、感光体にはトナー画像が形成されなくなる。トナー画像の形成されない先頭の位置が転写紙に達してから重送された転写紙の先頭が転写装置に達するので、重送された転写紙には画像が形成されない。重送された転写紙は、帯電装置、現像装置、転写装置、分離装置の全てに電圧が印加されていない状態で搬送される。したがって、搬送の途中で感光体などに吸着してジャムになることもなく、確実に機外に排紙することができる。重送紙の排紙においては、転写紙搬送路を駆動するが、重送紙が完全に重なっている場合は、通常の転写紙を送る時間と同じ時間だけ駆動し、重送紙がずれていて見かけの長さが長くなっている場合には、通常の転写紙の場合より２倍を限度として長く駆動して、確実に排紙できるようにする。
【００２４】
両面モードの場合は、重送紙が循環枚数の何枚目にあたっているかを検知し、重送紙の前に機内で処理されている転写紙がなければ、前記の片面モードの場合と同様にして重送紙を排紙する。
【００２５】
重送紙の前に処理中の転写紙があれば、これらの転写紙の表裏に画像を形成する。重送紙の方は、前記と同様にして搬送して機外に排紙する。
【００２６】
このように処理することで、両面モードの場合でも、頁の欠けや乱れを防止することができる。
【００２７】
【発明の実施の形態】
以下に本発明の実施例を図面によって説明する。
図１は、本発明の画像形成装置の断面構成を示す構成図である。
【００２８】
自動原稿給送手段１０（以下、ＡＤＦと言う）は、原稿ｄの片面又は両面を読み取るための給紙を行う手段である。ここには、複数枚の原稿ｄをおく原稿載置部１１、原稿ｄを一枚ずつ送り出す送りローラ１２ａ，１２ｂ、原稿ｄをコンタクトガラス２２上に通過させるローラ１３、原稿の表裏を反転する反転ローラ１４、読み取りが完了した原稿が排出される排紙皿１５がある。
【００２９】
画像読取装置２０は、原稿ｄを光学的にスキャンして読み取って画像データを生成するものである。この画像読取装置２０での読み取り結果から原稿サイズ情報が出力される。画像読取装置２０は、光源２３、ミラー２４，２５，２６，結像光学系２７及びＣＣＤ２８、並びに、図示されていない光学系駆動手段とから構成される。
【００３０】
画像形成部３０は画像データを電子写真方式により記録材としての転写紙上に記録するところである。これは、円筒状のドラムからなる感光体３１の周囲に配置された帯電装置３２、現像装置３３、転写装置３４、分離装置３５、クリーニング装置３６と、これらから離れて配置された定着装置３９も含む。
【００３１】
書込装置４０は、画像読取装置２０で読み込んだ画像データをレーザ光に変換してポリゴンミラーで走査して感光体３１上に照射して静電潜像を形成する部分である。
【００３２】
給紙カセットからなる給紙装置５０は、複数あり、通常は、それぞれに異なるサイズや紙質の転写紙を収容している。各給紙装置５０では一番上の転写紙から順に給紙ローラ５１ａ，５１ｂ，５１ｃで転写紙搬送路６０に送り出す。転写紙搬送路６０には、最小サイズの転写紙の送り方向サイズより短い間隔で、多数の搬送ローラ６３が設けられている。また、転写紙搬送路６０の感光体３１近傍には、レジストローラ６１があり、その上流に重送検知手段６２が設けられている。
【００３３】
重送検知手段６２としては、転写紙の一方から光を照射し、転写紙を透過して他方に達した光量を検知するタイプ、光の代わりに超音波を用いて、反対側における超音波の強度を測定するタイプ、転写紙を２つの電極の間を通過させ、静電容量の変化を求めるタイプ等があり、本発明ではいずれのタイプでもよく、特に限定されない。
【００３４】
なお、本発明において、転写紙搬送路６０とは、給紙装置５０から排紙ローラ７２までの全体を指すものとする。したがって、分離装置３５から定着装置３９に転写紙を搬送するコンベア３７、定着装置３９自身、排紙ローラ７２も転写紙搬送路６０に含まれる。
【００３５】
反転搬送装置７０は、表面にプリントされた転写紙の裏面にプリントするために、転写紙を反転させるところで、ここから再度画像形成部３０に送り込まれることになる。ここには、切換ガイド７１と、排紙ローラ７２と、反転部７３と、反転搬送路７４とがある。
【００３６】
図２は本発明における画像形成装置の電気的構成例を示すブロック図である。全体制御部１００は画像形成装置の全体を制御するところで、ＣＰＵを有し、図示しない処理プログラムに従って画像形成装置各部を制御する。操作部１１０はコピー枚数、拡大・縮小率、転写紙サイズ（Ａ４，Ａ４Ｒ，Ｂ５，Ｂ５Ｒ）などの選択や指定、コピー開始などの各種操作を行なうところであり、操作された結果は全体制御部１００に伝達される。
【００３７】
ＡＤＦ１０は、全体制御部１００の指示に従って原稿給送状態を制御する。原稿読取装置２０は、ＡＤＦ１０から供給された原稿画像や、プラテンガラス２１上に載置された原稿画像を読み取る。読み取られた原稿画像は、画像処理部１２０で圧縮等の処理がされ、画像記憶部１３０に記憶される。循環枚数カウンタ１４０は、給紙装置５０から供給された転写紙が、循環枚数の何枚目に該当するのかをカウントするものである。
【００３８】
画像出力制御部１５０は、画像記憶部１３０に記憶された画像データの既出力データから、つぎに転写される画像データを選択して画像形成部制御装置２００に出力するものである。これに加えて、本発明では、重送検知手段６２が転写紙の重送を検知した場合、そのときの循環枚数カウンタ１４０のカウント値により画像出力制御部１５０が画像記憶部１３０から取り出す画像データの順序を変更できるようにしている。
【００３９】
画像形成部制御装置２００は、感光体３１、帯電装置３２、現像装置３３、転写装置３４、分離装置３５、給紙装置５０、反転搬送装置７０、転写紙搬送路６０等を制御する。搬送制御装置２１０は、重送紙を排出する（重送モード）場合に、転写紙搬送路６０の全体を制御するものである。
【００４０】
図３は、感光体３１周辺部と重送検知手段６２との位置関係を説明する図である。同図の点Ａは、感光体３１上の点（線）で帯電装置３２によって帯電させられる位置を示す。点Ｂは、転写装置３４によりトナー像が転写紙に転写する位置である。点Ｃは、転写紙搬送路６０上にあって、重送検知手段６２で送り込まれた転写紙の重送を検知する位置である。
【００４１】
感光体３１が図３の時計方向に点Ａの位置から点Ｂの位置まで回転するのに要する時間をＴ１とし、転写紙が、点Ｃから点Ｂまで移動するのに要する時間をＴ２としたとき、Ｔ１≦Ｔ２の関係となるようになっている。
【００４２】
次に、図の画像形成装置で転写紙に画像を形成する動作を説明する。原稿の両面給送が可能なＡＤＦ１０の原稿載置部１１には、原稿第１頁の表面を上にした状態の原稿ｄが複数枚載置されている。ローラ１２ａ、ローラ１２ｂを介して繰り出された原稿の１枚目はローラ１３に沿って回転され、コンタクトガラス２２の上を通過する。コンタクトガラス２２の下には、光源２３とミラー２４とが静止した状態で待機しており、光源２３により原稿ｄの原稿面が照射される。原稿ｄからの反射光は、ミラー２４，２５，２６を介して結像光学系２７に入射し、光電変換手段であるＣＣＤ２８の受光面に像を結び、読み取りを行う。
【００４３】
また、図２において、原稿ｄがプラテンガラス２１上に読み取り面を下に向けた状態に載置された場合には、光源２３、ミラー２４，２５，２６及び結像光学系２７はプラテンガラス２１の下を原稿ｄの一端から他端に向かって走査して読み取りを行う。そして、読み取られた原稿ｄの画像データは、ＣＣＤ２８から図２の読み取り画像処理部１２０に送られる。
【００４４】
なお、原稿ｄがＡＤＦ１０により自動給送される場合には、原稿ｄの１ページ目（表面）が読み取られると、今度は反転ローラ１４を介して再度ローラ１３を用いた巻き取り操作が行われ、原稿裏面の画像が画像読取装置２０で読み取られ、画像処理部１２０に送られる。
【００４５】
このようにして、表面と裏面との画像が読み取られた原稿ｄは、再度反転ローラ１４で反転されて、表面を下に向けた状態で排紙皿１５に積載されていく。このようにして画像読取装置２０で読み取られた画像データは、画像処理部１２０で所定の画像処理が行なわれた後、画像記憶部１３０に記憶される。
【００４６】
一方、転写紙ｐが積載されている複数の給紙カセット５０のいずれかから、第一給紙ローラ５１ａ〜５１ｃにより転写紙ｐが繰り出され、画像形成部３０に給送される。
【００４７】
画像形成部３０に給送される転写紙ｐは、転写紙搬送路６０に送り込まれ、多数の搬送ローラ６３で感光体３１に向かう。感光体３１の手前のレジストローラ６１でタイミングがとられた後、円筒ドラム状の感光体３１の転写装置３４へ向けて搬送される。
【００４８】
画像記憶部１３０から画像出力制御部１５０に画像データが入力され、書込装置４０内のレーザダイオードから画像データに応じたレーザ光を感光体３１上に照射し、静電潜像を形成する。この静電潜像を現像装置３３で現像することで、感光体３１上にトナー像を形成する。
【００４９】
このトナー像は感光体３１の下部の転写装置３４により転写紙ｐに転写される。そして、感光体３１に密着されている転写紙ｐは分離装置３５により分離される。感光体３１から分離された転写紙ｐは転写紙搬送路６０の一部であるコンベア３７によって定着装置３９に入り、トナー像が熱と圧力とにより定着される。このようにして、転写紙ｐに画像が形成される。
【００５０】
両面モードの場合は、トナー像が定着された転写紙ｐは、切換ガイド７１を介して下方に搬送され、反転部７３に入って反転され、反転搬送路７４を経由して再度画像形成部３０に送られる。前記原稿ｄの片面の画像形成が終了した画像形成部３０では、感光体３１に付着したトナーがクリーニング装置３６で除去され、続く帯電装置３２により帯電させられ、次の画像形成に備えている。
【００５１】
この状態で転写紙ｐのもう一方の面（未だ画像形成されていない面）が画像形成部３０に搬入され、画像が形成される。分離装置３５で感光体３１から分離された転写紙ｐはコンベア３７を介して再度定着装置３９に入って定着される。このようにして、裏面と表面との画像形成が完了した転写紙ｐ、または、一方の面の画像形成が完了した転写紙ｐは排出される。
【００５２】
次に、本発明の画像形成装置において、転写紙に重送が生じた場合の処理の仕方を、まず、片面モードの場合について説明し、その後、両面モードの場合について説明する。
【００５３】
図４は、片面モードで重送があった場合の制御方法を説明するフローチャートである。給紙装置５０から転写紙搬送路６０内に転写紙が給紙されると（Ｓ１０１）、重送検知手段６２で重送か否かを判断する（Ｓ１０２）。重送でなければ、Ｓ１０３に行き、上述した通常の片面コピー作業を行い、コピーが完了するのを待って、Ｓ１０１に戻り、次の転写紙を給紙する。
【００５４】
Ｘ枚目の転写紙が重送であると判断された場合は、次のＸ＋１枚目以降の転写紙の給紙を停止し、図５の画像形成部におけるタイミングチャートに示すように、帯電装置３２の帯電出力、現像装置３３の現像バイアス出力、転写装置３４の転写出力、分離装置３５の分離出力の全てを、画像形成部制御装置２００でオフにする。また画像出力制御部１５０は、Ｘ枚目以降の画像の出力を停止する。その後、下流にＸ−１枚目以前の転写紙があるかどうか、すなわち、現在処理中の転写紙があるかどうかを判定する（Ｓ１０４）。下流に転写紙が無いと判断されると、重送紙は、重送モードで搬送される（Ｓ１０５）。
【００５５】
図６は、通常モードと重送モードにおける転写紙の搬送方法を説明する図で、（ａ），（ｂ）は通常モードの場合、（ｃ），（ｄ）は重送モードの場合を示す。これらの図における搬送ローラ６３ａ，６３ｂは、図１に示す複数の搬送ローラ６３のうち、任意の隣接するローラ２対を取り出したものである。
【００５６】
通常モードの場合、転写紙ｐは所定の長さなので、１枚の転写紙ｐを送り出せばよく、（ａ）では搬送ローラ６３ａ，６３ｂは共に回転しているが、（ｂ）のように後方の搬送ローラ６３ｂは、転写紙ｐの後端が通過したら、停止して問題はない。
【００５７】
しかし、重送紙は（ｃ）のように、搬送路内でずれて搬送されている場合がある。その場合、（ｄ）に示すように、上側の１枚目の転写紙ｐが後方の搬送ローラ６３ｂを通過しても下側の転写紙ｐ’は、後方の搬送ローラ６３ｂを通過していないことになる。この状態で、転写紙１枚の送りが完了したとして搬送ローラ６３ｂを停止させると、ジャムとなり、画像形成装置が停止することになる。
【００５８】
図７は、搬送ローラ６３ａ，６３ｂのタイミングチャートで、ａ，ｂは通常モードの場合、ｃ，ｄは、本発明の重送モードである。図７ａ，ｂに示すように、通常モードでは、前方側の搬送ローラ６３ａは、転写紙の長さの分だけ回転したら停止し、後方側の搬送ローラ６３ｂを転写紙ｐの後端が通過したとき停止させている。そのため、重送場合には、下側の転写紙が後方側の搬送ローラ６３ｂを通過し終わっていないので、ジャムと判断されることになる。
【００５９】
これに対し、本発明の重送モードは、先端の搬送ローラ６３ａと後端の搬送ローラ６３ｂの双方を通常の転写紙の場合よりも長い時間回転させて搬送する。すなわち、搬送制御装置２１０が、図７ｃ，ｄに示すように１枚の転写紙ｐが通過しても、先端の搬送ローラ６３ａと後端の搬送ローラ６３ｂのいずれも停止させない。重送紙は、転写紙搬送路６０の途中でずれて、見かけ上長い転写紙と同じようになってしまうからである。これを給紙装置５０から重送紙を機外に排紙するまで転写紙搬送路６０の全体について行う。そして、前方側の搬送ローラ６３ａは、通常モードの転写紙を送り出して停止する時間からΔｔ１時間送らせて停止している。また、後方側の搬送ローラ６３ｂを停止させるタイミングも、通常モードに対してΔｔ２だけ送らせて停止させている。
【００６０】
ここで、Δｔ１とΔｔ２の時間の設定方法が問題となるが、重送された場合の転写紙のずれの量による。重送が２枚の場合が最も多いので、通常モードの搬送時間をｔとすれば、Δｔ１＝Δｔ２＝ｔをほぼ上限と考えることができる。これ以上長い時間にしても、システムの生産性を落とすだけで、単なる無駄となる。下限としては、重送紙が完全に重なっている場合で、Δｔ１＝Δｔ２＝０となる。この場合の重送モードは、重送紙をジャムして扱わずに単に搬送を継続することになり、駆動時間は、通常の送り時間と同じ時間となる。実際にΔｔ１とΔｔ２の時間を決める場合には、重送紙のずれ具合を考慮して適当と考えられる時間を試行錯誤的に設定すればよい。
【００６１】
重送紙を搬送する場合に、また、別の問題がある。転写紙搬送路６０は、感光体３１と転写装置３４、分離装置３５の間を通過する。このとき、感光体３１にトナー画像があれば、転写紙にトナー画像が転写されてしまうが、重送紙はずれている可能性が大きく、不良画像となってしまう。
【００６２】
そこで、重送検知手段６２が重送を検知したら、上述したように、画像形成部制御装置２００で、直ちに図５に示すように帯電装置３２から分離装置３５までの高電圧をオフにする。これによって、感光体３１上にはトナー像が形成されないことになる。また、図３で説明したように、点Ａが点Ｂに達する時間をＴ１とし、転写紙が、点Ｃから点Ｂまで移動するのに要する時間をＴ２としたとき、Ｔ１≦Ｔ２の関係となるようになっているので、重送の転写紙の先端が転写装置３４に達したときには、感光体３１上にはトナー画像は全く無い状態となっている。したがって、重送の転写紙には画像は形成されることがない。
【００６３】
画像を形成しないことだけが目的であれば、帯電装置３２における帯電のみを停止するなど、帯電装置３２、現像装置３３、転写装置３４のいずれか１個所で高電圧の印加を停止すればよい。しかし、その場合、高電圧が印加されていることから、搬送中の重送の転写紙が、これらの高電圧により引き付けられ、ジャムが発生し易くなる。そのため、本発明では、帯電装置３２から分離装置３５までの全ての高電圧の印加をオフとしているのである。
【００６４】
図４のＳ１０４に戻り、先行紙があると判断された場合には、先行紙は通常のモードで処理される（Ｓ１０６）。一方、重送紙は重送モードで搬送される（Ｓ１０７）。そして、通常モードで搬送された先行紙が、定着装置３９を通過して、排紙ローラ７２に達するか、あるいは、後処理装置入口を通過する（Ｓ１０８）。この時点で、コピーカウントが１枚加算され（Ｓ１０９）、後処理装置でパンチにより穿孔されたり、複数枚重ねてステープラー処理される等の後処理がされる（Ｓ１１０）。
【００６５】
一方重送紙は、Ｓ１０５又はＳ１０７で重送モードにより画像形成装置内を通過している。そして、重送紙が後処理装置の入口を通過するのを待ち（Ｓ１１１）、重送紙の後処理（後述する）をして（Ｓ１１２）、次の転写紙を給紙するかどうかを判断する（Ｓ１１３）。つぎの転写紙Ｘ＋１枚目を給紙し、Ｓ１０１に戻り、Ｘ枚目として通常モードで処理する。給紙しない場合は、終了となる。
【００６６】
以上の制御方法によれば、重送紙があっても、画像形成装置を停止させることなく重送紙を排紙し、コピーを継続することができ、しかも、頁の欠落も生じない。また、重送モードにより転写紙を搬送する場合、搬送時間を延長しているので、確実に重送紙を排紙することができ、排紙不良によるジャムを防止することができる。また、重送を検知したらすぐに帯電装置３２、現像装置３３、転写装置３４、分離装置３５での高電圧の印加を停止するので、感光体３１の周囲で紙詰まりを起こすことを防止することができる。
【００６７】
次に、Ｓ１１２における重送紙の後処理について説明する。図８は、ステープルを行う後処理装置８０の模式図である。転写紙進入路８１は、画像形成装置の排紙ローラ７２から排紙される転写紙を受け取る。転写紙進入路８１は、第１搬送路８２と第２搬送路８３とに分かれる。分岐部には、図示しない切換ガイドを設けている。第１搬送路８２は、スタック機構８４に転写紙を送り込む。ここに所定枚数の転写紙が溜まると、図示しないステープラが作動して綴じる。綴じられたものは、スタック機構８４から排紙トレイ８５に排出される。ステープル処理されないものは、第２搬送路８３を通って排紙トレイ８５に排紙される。
【００６８】
図９は、通常コピーされた転写紙ｐを後処理装置８０でステープル処理する場合の重送紙ｑの後処理を説明する図で、（ａ）はコピー中、（ｂ）はコピー終了後を示す。
【００６９】
図９において、通常の転写紙ｐは、排紙ローラ７２から後処理装置８０の転写紙進入路８１に入り、第１搬送路８２を経て、スタック機構８４に一時的に収容される。一方、重送紙ｑは、第２搬送路８３を通過して直接排紙トレイ８５に排紙される。したがって、コピー終了後は、図９（ｂ）に示すように、排紙トレイ８５上にステープル処理された転写紙Ｐが重ねて置かれ、それらの間に重送紙ｑが混在した状態となる。
【００７０】
図１０は、通常コピーされた転写紙ｐを後処理装置８０でステープル処理しない場合の重送紙ｑの後処理を説明する図で、（ａ）はコピー中、（ｂ）はコピー終了後を示す。
【００７１】
図１０において、通常の転写紙ｐは、排紙ローラ７２から後処理装置８０の転写紙進入路８１に入り、こんどは第２搬送路８３を経て、直接、排紙トレイ８５内に収容される。他方、重送紙ｑは、第１搬送路８２を通過してスタック機構８４に溜められる。一方、通常の転写紙ｐは、第２搬送路８３を通過して直接排紙トレイ８５に排紙される。したがって、コピー終了後は、図１０（ｂ）に示すように、排紙トレイ８５上に転写紙ｐが重ねて置かれる。そして、転写紙ｐの上にスタック機構８４から排出された重送紙ｑが載ることになる。
【００７２】
本発明では、重送紙の後処理とは、図９及び図１０に示すように、重送紙が後処理装置８０を通過することを指すが、このほか、たとえば、重送紙を纏めてステープルで綴じるなど、通常の転写紙と同じ処理をしてもよい。
【００７３】
図１１は、両面モードで重送があった場合の制御方法を説明するフローチャートである。給紙装置５０から転写紙搬送路６０内に転写紙が給紙されると（Ｓ２０１）、重送検知手段６２で重送か否かを判断する（Ｓ２０２）。重送でなければ、Ｓ２０３に行き、上述した通常の両面コピー作業を行い、コピーが完了するのを待って、Ｓ２０１に戻り、次の転写紙を給紙する。
【００７４】
重送であると判断された場合は、片面モードの場合と同様に、新たな転写紙の給紙を停止し、図５に示す帯電装置３２の帯電出力、現像装置３３の現像バイアス出力、転写装置３４の転写出力、分離装置３５の分離出力の全てを、画像形成部制御装置２００でオフにする。その後、循環枚数カウンタ１４０が、重送紙は循環枚数の１枚目か否かを判定する（Ｓ２０４）。１枚目であれば、下流には処理中の転写紙が無いと判断され、重送紙は、重送モードで搬送され、後処理装置８０へと送られる（Ｓ２０５）。重送紙が後処理装置８０の入口に達するのを待って（Ｓ２０６）、重送紙の後処理を実行する（Ｓ２０７）。
【００７５】
Ｓ２０４で重送紙が循環枚数に対して１枚目でない場合は、先行する転写紙があることになる。そこで、先行する転写紙については、以下のようにして、通常の両面コピーを行う（Ｓ２０８）。
【００７６】
循環枚数が、たとえば、５枚の場合、図１２で説明したのと同様にして、画像読取は、１，１’，２，２’３，３’４，４’，５，５’の順で１０枚の原稿画像データを読み込む。そして、重送が発生しなければ、画像データは、１，２，３，４，５，１’，２’，３’，４’，５’の順で出力し、転写紙１，２，３，４，５の両面にコピーすることとなる。
【００７７】
仮に、重送紙が３枚目であったとすると、２枚の転写紙が画像形成装置内で処理中ということになる。そこで、循環枚数カウンタ１４０が重送紙の枚数が３と判断すると、この情報が画像出力制御部１５０に伝達され、画像出力制御部１５０は、画像形成の順序を１，２，１’，２’の順に組み替えて出力する。したがって、２枚の転写紙には、表裏に１，１’，２，２’の画像を形成できることになる。
【００７８】
一方の重送紙は、重送モードで後処理装置８０へと搬送される（Ｓ２０９）。重送モードの搬送については、図６、図７で説明したのと同じである。重送紙が後処理装置８０の入口に達したら（Ｓ２１０）、後処理装置８０で後処理を行う（Ｓ２１１）。
【００７９】
重送紙ｑの前にある２枚の先行紙が、後処理装置８０の入口に達するのを待って（Ｓ２１２）、コピーカウントを加算し（Ｓ２１３）、後処理装置８０で後処理を行い（Ｓ２１４）、次の転写紙を循環枚数３枚目として受け取る（Ｓ２１５）。この後、重送紙がなければ、３，４，５枚目の転写紙を給紙し、画像出力制御部１５０が３，４，５，３’，４’，５’の順に画像データを出力し、各転写紙の両面に画像形成を行って一巡が終わる。
【００８０】
以上は、循環枚数が５枚で重送紙が３枚目の場合を例示したが、一般に、循環枚数Ｎに対してＸ枚目（２≦Ｘ≦Ｎ）ならば、Ｘ＋１枚目以降の転写紙の供給は一旦待機させ、Ｘ−１枚目までの転写紙はそのまま両面モード処理に移行するという処理を行うことになる。
【００８１】
本発明では、上記のような制御方法を採用しているので、上述した片面モードの場合の効果に加えて、両面モードの場合でも、頁の欠落や飛びを防止することが可能となる。
【００８２】
【発明の効果】
以上に説明したように本発明は、画像形成装置において、転写紙を給紙装置から排紙位置までの転写紙搬送路上に搬送する搬送制御装置を設け、感光体上の帯電装置により帯電された部分が、トナー画像を転写紙に転写する転写位置まで回転する時間Ｔ１と、重送検知手段から転写位置まで転写紙を搬送する時間Ｔ２とが、Ｔ１≦Ｔ２となるように重送検知手段を転写紙搬送路上に配置したので、転写紙の重送があった場合でも、画像形成装置を停止することなくその重送紙を排紙することができる。また、重送紙が転写位置に到達したときには、感光体上に画像が形成されないようでき、重送紙を画像形成装置内を通過させても転写紙には画像が形成されないことから、転写紙を無駄にすることがなくなる。
【００８３】
重送検知手段で転写紙の重送を検知したとき、前記帯電装置、現像装置、転写装置、分離装置の全ての高電圧をオフにする画像形成部制御装置を設ける構成とすれば、重送紙を通過させる場合、感光体の周辺の高電圧により張り付いてジャムになるということを防止することができる。
【００８４】
上記の画像形成装置を用いて、片面モードで印刷中のＸ枚目で前記重送検知手段が重送紙を検知した場合、Ｘ＋１枚目以降の転写紙の供給を一旦待機させ、Ｘ−１枚目以前の転写紙は、設定通りの処理を行い、重送紙は、前記搬送制御装置が転写紙搬送路を駆動して排出し、該重送紙が機外又は後処理装置へ送り出された後、搬送制御装置を正常に戻し、Ｘ＋１枚目として画像形成を再開させるように制御すれば、画像形成装置を停止することなく、重送紙を確実に排出することができ、頁の欠落を防止できる。
【００８５】
両面モードを有する画像形成装置に、転写紙搬送路に転写紙の重送を検知する重送検知手段と、転写紙搬送路と反転搬送路内にある転写紙の数をカウントする循環枚数カウンタとを設けた構成とすれば、重送が発生したときの循環枚数をカウントし、先行する転写紙に両面コピーをして重送紙はコピーすることなく搬送して機外に排出することができる。したがって、両面モードの場合に重送が生じても、欠落する頁の発生を防止することができる。
【図面の簡単な説明】
【図１】本発明の画像形成装置の断面構成を示す構成図である。
【図２】本発明における画像形成装置の電気的構成例を示すブロック図である。
【図３】感光体周辺部と重送検知手段との位置関係を説明する図である。
【図４】片面モードで重送があった場合の制御方法を説明するフローチャートである。
【図５】画像形成部におけるタイミングチャートである。
【図６】通常モードと重送モードにおける転写紙の搬送方法を説明する図で、（ａ），（ｂ）は通常モードの場合、（ｃ），（ｄ）は重送モードの場合を示す。
【図７】搬送ローラのタイミングチャートである。
【図８】ステープルを行う後処理装置の模式図である。
【図９】通常コピーされた転写紙を後処理装置でステープル処理する場合の重送紙の後処理を説明する図で、（ａ）はコピー中、（ｂ）はコピー終了後を示す。
【図１０】通常コピーされた転写紙を後処理装置でステープル処理しない場合の重送紙の後処理を説明する図で、（ａ）はコピー中、（ｂ）はコピー終了後を示す。
【図１１】両面モードで重送があった場合の制御方法を説明するフローチャートである。
【図１２】両面コピーモードの場合、原稿の給紙順序と転写紙の給紙順序とタイミングを説明する図である。
【符号の説明】
ｐ        転写紙
ｑ        重送紙
３１      感光体
３２      帯電装置
３３      現像装置
３４      転写装置
３５      分離装置
４０      書込装置
５０      給紙装置
６０      転写紙搬送路
６２      重送検知手段
２００    画像形成部制御装置
【図１】
2004286778.tif 000003
【図２】
2004286778.tif 000004
【図３】
2004286778.tif 000005
【図４】
2004286778.tif 000006
【図５】
2004286778.tif 000007
【図６】
2004286778.tif 000008
【図７】
2004286778.tif 000009
【図８】
2004286778.tif 000010
【図９】
2004286778.tif 000011
【図１０】
2004286778.tif 000012
【図１１】
2004286778.tif 000013
【図１２】
2004286778.tif 000014